(57)【要約】【課題】  トラヒック負荷の増大化、転送時間の長時間化、課金の増大化を防止し、ストレスなく撮影した画像を送信可能とする。【解決手段】  撮影した画像データは、表示部１３にプレビュー表示される。プレビュー表示において、指定されたサイズに対応する切り取り枠がプレビュー画面の画像データに重ねて表示される。該切り出し画面では、画像データから選択されたサイズの任意の部分を切り出す。このとき、画像をズームインしたり、ズームアウトしたり、切り取り枠の形状を変更したり、画像効果を付加したりする。そして、確定ボタンが押下されると、画像データから切り取り枠で選択された領域を切り出し、メールに添付して送信する。【選択図】  図１
2005012764.tif 000002
【特許請求の範囲】
【請求項１】
画像データの一部を切り取る切取手段と、
前記切取手段により切り取られた画像データをメールに添付してメールを作成するメール作成手段と、
前記メール作成手段により作成されたメールを送信する送信手段と
を具備することを特徴とするデータ通信装置。
【請求項２】
撮像手段を更に具備し、
前記画像データは、前記撮像手段によって撮像された撮像データであることを特徴とする請求項１記載のデータ通信装置。
【請求項３】
前記記憶手段に記憶されている画像データを表示する表示手段と、
前記表示手段に表示されている画像データ上に重ねて切り取り枠を表示する表示制御手段とを具備し、
前記切取手段は、前記切り取り枠内の画像データを切り取ることを特徴とする請求項１または２記載のデータ通信装置。
【請求項４】
前記切り取り枠のサイズを変更する切り取り枠サイズ変更手段を具備することを特徴とする請求項３記載のデータ通信装置。
【請求項５】
前記切り取り枠の移動を指示する移動指示手段と、
前記移動指示手段からの移動指示に基づいて、前記切り取り枠を上下左右に移動させる切り取り枠移動手段と
を具備することを特徴とする請求項３または４記載のデータ通信装置。
【請求項６】
前記表示手段に表示されている画像データの移動を指示する移動指示手段と、
前記移動指示手段からの移動指示に基づいて、前記画像データを上下左右に移動させる画像データ移動手段と
を具備することを特徴とする請求項３または４記載のデータ通信装置。
【請求項７】
前記表示手段に表示されている画像データの表示倍率を指示する表示倍率指示手段と、
前記表示倍率指示手段からの表示倍率に基づいて、前記画像データを縮小または拡大表示する表示倍率変更手段と
を具備することを特徴とする請求項１ないし６のいずれかに記載のデータ通信装置。
【請求項８】
前記表示手段に表示されている画像データに対して画像効果の付加を指示する画像効果付加指示手段と、
前記画像効果付加指示手段からの付加指示に基づいて、前記画像データに画像効果を付加する画像効果付加手段と
を具備することを特徴とする請求項１ないし７のいずれかに記載のデータ通信装置。
【請求項９】
画像データの一部を拡大または縮小する部分拡大縮小手段と、
前記部分拡大手段により拡大または縮小された画像データをオリジナル画像データと合成する合成手段と、
前記合成手段により合成された画像データをメールに添付してメールを作成するメール作成手段と、
前記メール作成手段により作成されたメールを送信する送信手段と
を具備することを特徴とするデータ通信装置。
【請求項１０】
前記記憶手段に記憶されている画像データを表示する表示手段と、
前記表示手段に表示されている画像データ上に重ねて部分変倍枠を表示する表示制御手段とを具備し、
前記部分拡大縮小手段は、前記部分変倍枠内の画像データを拡大または縮小することを特徴とするこ請求項９記載のデータ通信装置。
【請求項１１】
前記表示制御手段は、前記部分拡大縮小手段により前記部分変倍枠内の画像データを拡大または縮小する際に、前記部分変倍枠自体を拡大または縮小される画像データに対応させて拡大または縮小する部分変倍枠サイズ変更手段を具備することを特徴とする請求項１０記載のデータ通信装置。
【請求項１２】
前記部分変倍枠の位置、変倍範囲、形状のうち、少なくともいずれか１つを変更する部分変倍枠変更手段を具備することを特徴とする請求項１０または１１記載のデータ通信装置。
【請求項１３】
前記合成手段により、前記切り取り枠内の画像とオリジナル画像を合成する際に、境界部分の画像変化を平滑化する平滑化手段を具備することを特徴とする請求項１０ないし１２のいずれかに記載のデータ通信装置。
【請求項１４】
画像データの一部を切り取り、該切り取った画像データをメールに添付して送信することを特徴とする画像通信方法。
【請求項１５】
前記画像データは、撮像手段によって撮像された撮像データであることを特徴とする請求項１４記載の画像送信方法。
【請求項１６】
前記画像データ上に重ねて切り取り枠を表示し、該切り取り枠内の画像データを切り取ることを特徴とする請求項１４または１５記載の画像送信方法。
【請求項１７】
前記切り取り枠のサイズを変更することにより、切り取り範囲を変更することを特徴とする請求項１６記載の画像送信方法。
【請求項１８】
前記切り取り枠を上下左右に移動させることにより、切り取り範囲を指定することを特徴とする請求項１６または１７記載の画像送信方法。
【請求項１９】
前記表示されている画像データを上下左右に移動させることにより、切り取り範囲を指定することを特徴とする請求項１６または１７記載の画像送信方法。
【請求項２０】
前記画像データを縮小または拡大表示することにより、切り取り範囲を変更することを特徴とする請求項１６ないし１９のいずれかに記載の画像送信方法。
【請求項２１】
前記表示手段に表示されている画像データに対して画像効果を付加することを特徴とする請求項１４ないし２０のいずれかに記載の画像送信方法。
【請求項２２】
画像データの一部を拡大または縮小し、該拡大または縮小された画像データをオリジナル画像データと合成し、該合成した画像データをメールに添付して送信することを特徴とする画像送信方法。
【請求項２３】
前記画像データ上に重ねて部分変倍枠を表示し、前記部分変倍枠内の画像データを拡大または縮小し、前記部分変倍枠内の拡大または縮小された画像データをオリジナル画像データと合成することを特徴とする請求項２２記載の画像送信方法。
【請求項２４】
前記部分変倍枠内の画像データを拡大または縮小する際に、前記切り取り枠自体を拡大または縮小される画像データに対応させて拡大または縮小することを特徴とする請求項２３記載の画像送信方法。
【請求項２５】
前記部分変倍枠による切り取り位置、切り取り範囲、切り取り形状のうち、少なくともいずれか１つを変更することを特徴とする請求項２３または２４に記載の画像送信方法。
【請求項２６】
前記部分変倍枠内の画像とオリジナル画像を合成する際に、境界部分の画像変化を平滑化することを特徴とする請求項２３ないし２５のいずれかに記載の画像送信方法。
【請求項２７】
画像データの一部を切り取るステップと、
前記切り取られた画像データをメールに添付してメールを作成するステップと、
前記作成されたメールを送信するステップと
をコンピュータに実行させることを特徴とする画像送信プログラム。
【請求項２８】
前記画像データを撮像手段によって撮像するステップを更に含むことを特徴とする請求項２７記載の画像送信プログラム。
【請求項２９】
前記画像データ上に重ねて切り取り枠を表示するステップと、
前記切り取り枠内の画像データを切り取るステップと
を更に含むことを特徴とする請求項２７または２８記載の画像送信プログラム。
【請求項３０】
前記切り取り枠のサイズを変更することにより、切り取り範囲を変更するステップを更に含むことを特徴とする請求項２９記載の画像送信プログラム。
【請求項３１】
前記切り取り枠を上下左右に移動させることにより、切り取り範囲を指定するステップを更に含むことを特徴とする請求項２９または３０記載の画像送信プログラム。
【請求項３２】
前記表示されている画像データを上下左右に移動させることにより、切り取り範囲を指定するステップを更に含むことを特徴とする請求項２９または３０記載の画像送信プログラム。
【請求項３３】
前記画像データを縮小または拡大表示することにより、切り取り範囲を変更するステップを更に含むことを特徴とする請求項２８ないし３２のいずれかに記載の画像送信プログラム。
【請求項３４】
前記表示手段に表示されている画像データに対して画像効果を付加するステップを更に含むことを特徴とする請求項２８ないし３３のいずれかに記載の画像送信プログラム。
【請求項３５】
画像データの一部を拡大または縮小するステップと、
該拡大または縮小された画像データをオリジナル画像データと合成するステップと、
該合成した画像データをメールに添付して送信するステップと
をコンピュータに実行させることを特徴とする画像送信プログラム。
【請求項３６】
前記画像データ上に重ねて部分変倍枠を表示するステップと、
前記部分変倍枠内の画像データを拡大または縮小するステップと、
前記部分変倍枠内の拡大または縮小された画像データをオリジナル画像データと合成するステップと
を更に含むことを特徴とする請求項３５記載の画像送信プログラム。
【請求項３７】
前記部分変倍枠内の画像データを拡大または縮小する際に、前記切り取り枠自体を拡大または縮小される画像データに対応させて拡大または縮小するステップを更に含むことを特徴とする請求項３６記載の画像送信プログラム。
【請求項３８】
前記部分変倍枠による切り取り位置、切り取り範囲、切り取り形状のうち、少なくともいずれか１つを変更するステップを更に含むことを特徴とする請求項３６または３７記載の画像送信プログラム。
【請求項３９】
前記部分変倍枠内の画像とオリジナル画像を合成する際に、境界部分の画像変化を平滑化するステップを更に含むことを特徴とする請求項３６ないし３８のいずれかに記載の画像送信プログラム。
【発明の詳細な説明】
【技術分野】
【０００１】
本発明は、画像データを添付したメールを送信するデータ通信装置、画像送信方法および画像送信プログラムに関する。
【背景技術】
【０００２】
従来より、携帯端末（携帯電話等）などでは、撮影機能を有するカメラを備えており、カメラにより撮影した画像をメモリに保存したり、メールに添付して送信したりする機能を備えている（例えば特許文献１）。
【０００３】
【特許文献１】特開２００２−３０５７３１号公報
【発明の開示】
【発明が解決しようとする課題】
【０００４】
ところで、近年、上述した携帯端末（携帯電話等）では、ＶＧＡ撮影、メガピクセル撮影機能を有するカメラ付きのものが普及しつつある。このような携帯端末において、撮影した画像は、６４０×４８０ドット（ＶＧＡ）、８００×６００ドット、１０２４×７６８ドット（ＳＶＧＡ，ＸＧＡ）などの解像度を有する。このような高解像度の画像データをメールに添付して送信すると、メール容量が大きくなるため、通常の１２０×１６０ドット程度の画像データを送信する場合に比べ、トラヒック負荷が増大したり、また、転送時間がかかり利便性が悪化したり、さらには、転送データ課金が大きくなったりするという問題がある。
【０００５】
そこで本発明は、高解像度の画像データであっても、トラヒック負荷の増大化、転送時間の長時間化、課金の増大化を防止しつつ、ストレスなく送信することができるデータ通信装置、画像送信方法および画像送信プログラムを提供することを目的とする。
【課題を解決するための手段】
【０００６】
上記目的達成のため、請求項１記載の発明によるデータ通信装置は、画像データの一部を切り取る切取手段と、前記切取手段により切り取られた画像データをメールに添付してメールを作成するメール作成手段と、前記メール作成手段により作成されたメールを送信する送信手段とを具備することを特徴とする。
【０００７】
また、好ましい態様として、例えば請求項２記載のように、請求項１記載のデータ通信装置において、撮像手段を更に具備し、前記画像データを、前記撮像手段によって撮像された撮像データとするようにしてもよい。また、好ましい態様として、例えば請求項３記載のように、請求項１または２記載のデータ通信装置において、前記記憶手段に記憶されている画像データを表示する表示手段と、前記表示手段に表示されている画像データ上に重ねて切り取り枠を表示する表示制御手段とを具備し、前記切取手段は、前記切り取り枠内の画像データを切り取るようにしてもよい。また、好ましい態様として、例えば請求項４記載のように、請求項３記載のデータ通信装置において、前記切り取り枠のサイズを変更する切り取り枠サイズ変更手段を具備するようにしてもよい。また、好ましい態様として、例えば請求項５記載のように、請求項３または４記載のデータ通信装置において、前記切り取り枠の移動を指示する移動指示手段と、前記移動指示手段からの移動指示に基づいて、前記切り取り枠を上下左右に移動させる切り取り枠移動手段とを具備するようにしてもよい。
【０００８】
また、好ましい態様として、例えば請求項６記載のように、請求項３または４記載のデータ通信装置において、前記表示手段に表示されている画像データの移動を指示する移動指示手段と、前記移動指示手段からの移動指示に基づいて、前記画像データを上下左右に移動させる画像データ移動手段とを具備するようにしてもよい。また、好ましい態様として、例えば請求項７記載のように、請求項１ないし６のいずれかに記載のデータ通信装置において、前記表示手段に表示されている画像データの表示倍率を指示する表示倍率指示手段と、前記表示倍率指示手段からの表示倍率に基づいて、前記画像データを縮小または拡大表示する表示倍率変更手段とを具備するようにしてもよい。また、好ましい態様として、例えば請求項８記載のように、請求項１ないし７のいずれかに記載のデータ通信装置において、前記表示手段に表示されている画像データに対して画像効果の付加を指示する画像効果付加指示手段と、前記画像効果付加指示手段からの付加指示に基づいて、前記画像データに画像効果を付加する画像効果付加手段とを具備するようにしてもよい。
【０００９】
また、上記目的達成のため、請求項９記載の発明によるデータ通信装置は、画像データの一部を拡大または縮小する部分拡大縮小手段と、前記部分拡大手段により拡大または縮小された画像データをオリジナル画像データと合成する合成手段と、前記合成手段により合成された画像データをメールに添付してメールを作成するメール作成手段と、前記メール作成手段により作成されたメールを送信する送信手段とを具備することを特徴とする。
【００１０】
また、好ましい態様として、例えば請求項１０記載のように、請求項９記載のデータ通信装置において、前記記憶手段に記憶されている画像データを表示する表示手段と、前記表示手段に表示されている画像データ上に重ねて部分変倍枠を表示する表示制御手段とを具備し、前記部分拡大縮小手段は、前記部分変倍枠内の画像データを拡大または縮小するようにしてもよい。
【００１１】
また、好ましい態様として、例えば請求項１１記載のように、請求項１０記載のデータ通信装置において、前記表示制御手段は、前記部分拡大縮小手段により前記部分変倍枠内の画像データを拡大または縮小する際に、前記部分変倍枠自体を拡大または縮小される画像データに対応させて拡大または縮小する部分変倍枠サイズ変更手段を具備するようにしてもよい。
【００１２】
また、好ましい態様として、例えば請求項１２記載のように、請求項１０または１１記載のデータ通信装置において、前記部分変倍枠の位置、変倍範囲、形状のうち、少なくともいずれか１つを変更する部分変倍枠変更手段を具備するようにしてもよい。
【００１３】
また、好ましい態様として、例えば請求項１３記載のように、請求項１０ないし１２のいずれかに記載のデータ通信装置において、前記合成手段により、前記切り取り枠内の画像とオリジナル画像を合成する際に、境界部分の画像変化を平滑化する平滑化手段を具備するようにしてもよい。
【００１４】
また、上記目的達成のため、請求項１４記載の発明による画像送信方法は、画像データの一部を切り取り、該切り取った画像データをメールに添付して送信することを特徴とする。
【００１５】
また、好ましい態様として、例えば請求項１５記載のように、請求項１４記載の画像送信方法において、前記画像データは、撮像手段によって撮像された撮像データであってもよい。
【００１６】
また、好ましい態様として、例えば請求項１６記載のように、請求項１４または１５記載の画像送信方法において、前記画像データ上に重ねて切り取り枠を表示し、該切り取り枠内の画像データを切り取るようにしてもよい。
【００１７】
また、好ましい態様として、例えば請求項１７記載のように、請求項１６記載の画像送信方法において、前記切り取り枠のサイズを変更することにより、切り取り範囲を変更するようにしてもよい。
【００１８】
また、好ましい態様として、例えば請求項１８記載のように、請求項１６または１７記載の画像送信方法において、前記切り取り枠を上下左右に移動させることにより、切り取り範囲を指定するようにしてもよい。
【００１９】
また、好ましい態様として、例えば請求項１９記載のように、請求項１６または１７記載の画像送信方法において、前記表示されている画像データを上下左右に移動させることにより、切り取り範囲を指定するようにしてもよい。
【００２０】
また、好ましい態様として、例えば請求項２０記載のように、請求項１６ないし１９のいずれかに記載の画像送信方法において、前記画像データを縮小または拡大表示することにより、切り取り範囲を変更するようにしてもよい。
【００２１】
また、好ましい態様として、例えば請求項２１記載のように、請求項１４ないし２０のいずれかに記載の画像送信方法において、前記表示手段に表示されている画像データに対して画像効果を付加するようにしてもよい。
【００２２】
また、上記目的達成のため、請求項２２記載の発明による画像通信方法は、画像データの一部を拡大または縮小し、該拡大または縮小された画像データをオリジナル画像データと合成し、該合成した画像データをメールに添付して送信することを特徴とする。
【００２３】
また、好ましい態様として、例えば請求項２３記載のように、請求項２２記載の画像送信方法において、前記画像データ上に重ねて部分変倍枠を表示し、前記部分変倍枠内の画像データを拡大または縮小し、前記部分変倍枠内の拡大または縮小された画像データをオリジナル画像データと合成するようにしてもよい。
【００２４】
また、好ましい態様として、例えば請求項２４記載のように、請求項２３記載の画像送信方法において、前記部分変倍枠内の画像データを拡大または縮小する際に、前記切り取り枠自体を拡大または縮小される画像データに対応させて拡大または縮小するようにしてもよい。
【００２５】
また、好ましい態様として、例えば請求項２５記載のように、請求項２３または２４に記載の画像送信方法において、前記部分変倍枠による切り取り位置、切り取り範囲、切り取り形状のうち、少なくともいずれか１つを変更するようにしてもよい。
【００２６】
また、好ましい態様として、例えば請求項２６記載のように、請求項２３ないし２５のいずれかに記載の画像送信方法において、前記部分変倍枠内の画像とオリジナル画像を合成する際に、境界部分の画像変化を平滑化するようにしてもよい。
【００２７】
また、上記目的達成のため、請求項２７記載の発明による画像送信プログラムは、画像データの一部を切り取るステップと、前記切り取られた画像データをメールに添付してメールを作成するステップと、前記作成されたメールを送信するステップとをコンピュータに実行させることを特徴とする。
【００２８】
また、好ましい態様として、例えば請求項２８記載のように、請求項２７記載の画像送信プログラムにおいて、前記画像データを撮像手段によって撮像するステップを更に含むようにしてもよい。
【００２９】
また、好ましい態様として、例えば請求項２９記載のように、請求項２７または２８記載の画像送信プログラムにおいて、前記画像データ上に重ねて切り取り枠を表示するステップと、前記切り取り枠内の画像データを切り取るステップとを更に含むようにしてもよい。
【００３０】
また、好ましい態様として、例えば請求項３０記載のように、請求項２９記載の画像送信プログラムにおいて、前記切り取り枠のサイズを変更することにより、切り取り範囲を変更するステップを更に含むようにしてもよい。
【００３１】
また、好ましい態様として、例えば請求項３１記載のように、請求項２０または２１記載の画像送信プログラムにおいて、前記切り取り枠を上下左右に移動させることにより、切り取り範囲を指定するステップを更に含むようにしてもよい。
【００３２】
また、好ましい態様として、例えば請求項３２記載のように、請求項２９または３０記載の画像送信プログラムにおいて、前記表示されている画像データを上下左右に移動させることにより、切り取り範囲を指定するステップを更に含むようにしてもよい。
【００３３】
また、好ましい態様として、例えば請求項３３記載のように、請求項２８ないし３２のいずれかに記載の画像送信プログラムにおいて、前記画像データを縮小または拡大表示することにより、切り取り範囲を変更するステップを更に含むようにしてもよい。
【００３４】
また、好ましい態様として、例えば請求項３４記載のように、請求項２８ないし３３のいずれかに記載の画像送信プログラムにおいて、前記表示手段に表示されている画像データに対して画像効果を付加するステップを更に含むようにしてもよい。
【００３５】
また、上記目的達成のため、請求項３５記載の発明による画像送信プログラムは、画像データの一部を拡大または縮小するステップと、該拡大または縮小された画像データをオリジナル画像データと合成するステップと、該合成した画像データをメールに添付して送信するステップとをコンピュータに実行させることを特徴とする。
【００３６】
また、好ましい態様として、例えば請求項３６記載のように、請求項３５記載の画像送信プログラムにおいて、前記画像データ上に重ねて部分変倍枠を表示するステップと、前記部分変倍枠内の画像データを拡大または縮小するステップと、前記部分変倍枠内の拡大または縮小された画像データをオリジナル画像データと合成するステップとを更に含むようにしてもよい。
【００３７】
また、好ましい態様として、例えば請求項３７記載のように、請求項３６記載の画像送信プログラムにおいて、前記部分変倍枠内の画像データを拡大または縮小する際に、前記切り取り枠自体を拡大または縮小される画像データに対応させて拡大または縮小するステップを更に含むようにしてもよい。
【００３８】
また、好ましい態様として、例えば請求項３８記載のように、請求項３６または３７記載の画像送信プログラムにおいて、前記部分変倍枠による切り取り位置、切り取り範囲、切り取り形状のうち、少なくともいずれか１つを変更するステップを更に含むようにしてもよい。
【００３９】
また、好ましい態様として、例えば請求項３９記載のように、請求項３６ないし３８のいずれかに記載の画像送信プログラムにおいて、前記部分変倍枠内の画像とオリジナル画像を合成する際に、境界部分の画像変化を平滑化するステップを更に含むようにしてもよい。
【発明の効果】
【００４０】
請求項１記載の発明によれば、切取手段により、画像データの一部を切り取り、メール作成手段により、該切り取った画像データをメールに添付してメールを作成し、送信手段により、前記メールを送信するようにしたので、高解像度の画像データであっても、トラヒック負荷の増大化、転送時間の長時間化、課金の増大化を防止しつつ、ストレスなく送信することができるという利点が得られる。
【００４１】
また、請求項２記載の発明によれば、撮像手段によって前記画像データを撮影するようにしたので、画像データが高解像度のカメラ付き携帯端末で撮影されたものであっても、トラヒック負荷の増大化、転送時間の長時間化、課金の増大化を防止しつつ、撮影した画像データをストレスなく送信することができるという利点が得られる。
【００４２】
また、請求項３記載の発明によれば、前記記憶手段に記憶されている画像データを表示手段に表示し、表示制御手段により、画像データ上に重ねて切り取り枠を表示し、前記切取手段により、前記切り取り枠内の画像データを切り取るようにしたので、高解像度の画像データであっても、切り取り枠を見ながら切り取るべき領域を判別でき、トラヒック負荷の増大化、転送時間の長時間化、課金の増大化を防止しつつ、撮影した画像をストレスなく送信することができるという利点が得られる。
【００４３】
また、請求項４記載の発明によれば、切り取り枠サイズ変更手段により、前記切り取り枠のサイズを変更するようにしたので、高解像度の画像データであっても、任意のサイズの画像データを、トラヒック負荷の増大化、転送時間の長時間化、課金の増大化を防止しつつ、ストレスなく送信することができるという利点が得られる。
【００４４】
また、請求項５記載によれば、切り取り枠移動手段により、移動指示手段からの移動指示に基づいて、前記切り取り枠を上下左右に移動させるようにしたので、画像データが高解像度であっても、画像データの任意の場所を指定することができ、トラヒック負荷の増大化、転送時間の長時間化、課金の増大化を防止しつつ、ストレスなく送信することができるという利点が得られる。
【００４５】
また、請求項６記載の発明によれば、画像データ移動手段により、移動指示手段からの移動指示に基づいて、前記画像データを上下左右に移動させるようにしたので、画像データが高解像度であっても、画像データの任意の場所を指定することができ、トラヒック負荷の増大化、転送時間の長時間化、課金の増大化を防止しつつ、ストレスなく送信することができるという利点が得られる。
【００４６】
また、請求項７記載の発明によれば、表示倍率変更手段により、表示倍率指示手段からの表示倍率に基づいて、前記画像データを縮小または拡大表示するようにしたので、画像データが高解像度であっても、任意の場所を、かつ任意の拡縮率で、トラヒック負荷の増大化、転送時間の長時間化、課金の増大化を防止し、撮影した画像をストレスなく送信することができるという利点が得られる。
【００４７】
また、請求項８記載の発明によれば、画像効果付加手段により、画像効果付加指示手段からの付加指示に基づいて、前記画像データに画像効果を付加するようにしたので、画像データが高解像度であっても、任意の場所を、かつ任意の拡縮率で、さらに、より多彩な画像効果を付加した画像データを、トラヒック負荷の増大化、転送時間の長時間化、課金の増大化を防止しつつ、ストレスなく送信することができるという利点が得られる。
【００４８】
また、請求項９記載の発明によれば、部分拡大縮小手段により、画像データの一部を拡大または縮小し、合成手段により、拡大または縮小された画像データをオリジナル画像データと合成し、メール作成手段により、合成された画像データをメールに添付してメールを作成し、送信手段により、作成されたメールを送信するようにしたので、より自由度がある多彩な画像編集効果を施した画像を送信することができるという利点が得られる。
【００４９】
また、請求項１０記載の発明によれば、前記記憶手段に記憶されている画像データを表示手段に表示し、表示制御手段により、表示されている画像データ上に重ねて部分変倍枠を表示し、前記部分拡大縮小手段により、前記部分変倍枠内の画像データを拡大または縮小するようにしたので、より自由度がある多彩な画像編集効果を施した画像を送信することができるという利点が得られる。
【００５０】
また、請求項１１記載の発明によれば、部分変倍枠サイズ変更手段により、前記部分拡大縮小手段により前記部分変倍枠内の画像データを拡大または縮小する際に、前記部分変倍枠自体を拡大または縮小される画像データに対応させて拡大または縮小するようにしたので、より自由度がある多彩な画像編集効果を施した画像を送信することができるという利点が得られる。
【００５１】
また、請求項１２記載の発明によれば、部分変倍枠変更手段により、前記部分変倍枠の位置、変倍範囲、形状のうち、少なくともいずれか１つを変更するようにしたので、より自由度がある多彩な画像編集効果を施した画像を送信することができるという利点が得られる。
【００５２】
また、請求項１３記載の発明によれば、平滑化手段により、前記切り取り枠内の画像とオリジナル画像を合成する際に、境界部分の画像変化を平滑化するようにしたので、より自由度がある多彩な画像編集効果を施した画像を送信することができるという利点が得られる。
【００５３】
また、請求項１４記載の発明によれば、画像データの一部を切り取り、該切り取った画像データをメールに添付して送信するようにしたので、高解像度の画像データであっても、トラヒック負荷の増大化、転送時間の長時間化、課金の増大化を防止しつつ、ストレスなく送信することができるという利点が得られる。
【００５４】
また、請求項１５記載の発明によれば、撮像手段によって前記画像データを撮像するようにしたので、画像データが高解像度のカメラ付き携帯端末で撮影されたものであっても、トラヒック負荷の増大化、転送時間の長時間化、課金の増大化を防止しつつ、撮影した画像データをストレスなく送信することができるという利点が得られる。
【００５５】
また、請求項１６記載の発明によれば、前記画像データ上に重ねて切り取り枠を表示し、該切り取り枠内の画像データを切り取るようにしたので、高解像度の画像データであっても、切り取り枠を見ながら切り取るべき領域を判別でき、トラヒック負荷の増大化、転送時間の長時間化、課金の増大化を防止しつつ、撮影した画像をストレスなく送信することができるという利点が得られる。
【００５６】
また、請求項１７記載の発明によれば、前記切り取り枠のサイズを変更することにより、切り取り範囲を変更するようにしたので、高解像度の画像データであっても、任意のサイズの画像データを、トラヒック負荷の増大化、転送時間の長時間化、課金の増大化を防止しつつ、ストレスなく送信することができるという利点が得られる。
【００５７】
また、請求項１８記載の発明によれば、前記切り取り枠を上下左右に移動させることにより、切り取り範囲を指定するようにしたので、画像データが高解像度であっても、画像データの任意の場所を指定することができ、トラヒック負荷の増大化、転送時間の長時間化、課金の増大化を防止しつつ、ストレスなく送信することができるという利点が得られる。
【００５８】
また、請求項１９記載の発明によれば、前記表示されている画像データを上下左右に移動させることにより、切り取り範囲を指定するようにしたので、画像データが高解像度であっても、画像データの任意の場所を指定することができ、トラヒック負荷の増大化、転送時間の長時間化、課金の増大化を防止しつつ、ストレスなく送信することができるという利点が得られる。
【００５９】
また、請求項２０記載の発明によれば、前記画像データを縮小または拡大表示することにより、切り取り範囲を変更するようにしたので、画像データが高解像度であっても、任意の場所を、かつ任意の拡縮率で、トラヒック負荷の増大化、転送時間の長時間化、課金の増大化を防止し、撮影した画像をストレスなく送信することができるという利点が得られる。
【００６０】
また、請求項２１記載の発明によれば、前記表示手段に表示されている画像データに対して画像効果を付加するようにしたので、画像データが高解像度であっても、任意の場所を、かつ任意の拡縮率で、さらに、より多彩な画像効果を付加した画像データを、トラヒック負荷の増大化、転送時間の長時間化、課金の増大化を防止しつつ、ストレスなく送信することができるという利点が得られる。
【００６１】
また、請求項２２記載の発明によれば、画像データの一部を拡大または縮小し、該拡大または縮小された画像データをオリジナル画像データと合成し、該合成した画像データをメールに添付して送信するようにしたので、より自由度がある多彩な画像編集効果を施した画像を送信することができるという利点が得られる。
【００６２】
また、請求項２３記載の発明によれば、前記画像データ上に重ねて部分変倍枠を表示し、前記部分変倍枠内の画像データを拡大または縮小し、前記部分変倍枠内の拡大または縮小された画像データをオリジナル画像データと合成するようにしたので、より自由度がある多彩な画像編集効果を施した画像を送信することができるという利点が得られる。
【００６３】
また、請求項２４記載の発明によれば、前記部分変倍枠内の画像データを拡大または縮小する際に、前記切り取り枠自体を拡大または縮小される画像データに対応させて拡大または縮小するようにしたので、より自由度がある多彩な画像編集効果を施した画像を送信することができるという利点が得られる。
【００６４】
また、請求項２５記載の発明によれば、前記部分変倍枠による切り取り位置、切り取り範囲、切り取り形状のうち、少なくともいずれか１つを変更するようにしたので、より自由度がある多彩な画像編集効果を施した画像を送信することができるという利点が得られる。
【００６５】
また、請求項２６記載の発明によれば、前記部分変倍枠内の画像とオリジナル画像を合成する際に、境界部分の画像変化を平滑化するようにしたので、より自由度がある多彩な画像編集効果を施した画像を送信することができるという利点が得られる。
【００６６】
また、請求項２７記載の発明によれば、画像データの一部を切り取るステップと、前記切り取られた画像データをメールに添付してメールを作成するステップと、前記作成されたメールを送信するステップとをコンピュータに実行させるようにしたので、高解像度の画像データであっても、トラヒック負荷の増大化、転送時間の長時間化、課金の増大化を防止しつつ、ストレスなく送信することができるという利点が得られる。
【００６７】
また、請求項２８記載の発明によれば、前記画像データを撮像手段によって撮像するステップを実行するようにしたので、画像データが高解像度のカメラ付き携帯端末で撮影されたものであっても、トラヒック負荷の増大化、転送時間の長時間化、課金の増大化を防止しつつ、撮影した画像データをストレスなく送信することができるという利点が得られる。
【００６８】
また、請求項２９記載の発明によれば、前記画像データ上に重ねて切り取り枠を表示するステップと、前記切り取り枠内の画像データを切り取るステップとを実行するようにしたので、高解像度の画像データであっても、切り取り枠を見ながら切り取るべき領域を判別でき、トラヒック負荷の増大化、転送時間の長時間化、課金の増大化を防止しつつ、撮影した画像をストレスなく送信することができるという利点が得られる。
【００６９】
また、請求項３０記載の発明によれば、前記切り取り枠のサイズを変更することにより、切り取り範囲を変更するステップを実行するようにしたので、高解像度の画像データであっても、任意のサイズの画像データを、トラヒック負荷の増大化、転送時間の長時間化、課金の増大化を防止しつつ、ストレスなく送信することができるという利点が得られる。
【００７０】
また、請求項３１記載の発明によれば、前記切り取り枠を上下左右に移動させることにより、切り取り範囲を指定するステップを実行するようにしたので、画像データが高解像度であっても、画像データの任意の場所を指定することができ、トラヒック負荷の増大化、転送時間の長時間化、課金の増大化を防止しつつ、ストレスなく送信することができるという利点が得られる。
【００７１】
また、請求項３２記載の発明によれば、前記表示されている画像データを上下左右に移動させることにより、切り取り範囲を指定するステップを実行するようにしたので、画像データが高解像度であっても、画像データの任意の場所を指定することができ、トラヒック負荷の増大化、転送時間の長時間化、課金の増大化を防止しつつ、ストレスなく送信することができるという利点が得られる。
【００７２】
また、請求項３３記載の発明によれば、前記画像データを縮小または拡大表示することにより、切り取り範囲を変更するステップ実行するようにしたので、画像データが高解像度であっても、任意の場所を、かつ任意の拡縮率で、トラヒック負荷の増大化、転送時間の長時間化、課金の増大化を防止し、撮影した画像をストレスなく送信することができるという利点が得られる。
【００７３】
また、請求項３４記載の発明によれば、前記表示手段に表示されている画像データに対して画像効果を付加するステップを実行するようにしたので、画像データが高解像度であっても、任意の場所を、かつ任意の拡縮率で、さらに、より多彩な画像効果を付加した画像データを、トラヒック負荷の増大化、転送時間の長時間化、課金の増大化を防止しつつ、ストレスなく送信することができるという利点が得られる。
【００７４】
また、請求項３５記載の発明によれば、画像データの一部を拡大または縮小するステップと、該拡大または縮小された画像データをオリジナル画像データと合成するステップと、該合成した画像データをメールに添付して送信するステップとをコンピュータに実行させるようにしたので、より自由度がある多彩な画像編集効果を施した画像を送信することができるという利点が得られる。
【００７５】
また、請求項３６記載の発明によれば、前記画像データ上に重ねて部分変倍枠を表示するステップと、前記部分変倍枠内の画像データを拡大または縮小するステップと、前記部分変倍枠内の拡大または縮小された画像データをオリジナル画像データと合成するステップを更に実行させるようにしたので、より自由度がある多彩な画像編集効果を施した画像を送信することができるという利点が得られる。
【００７６】
また、請求項３７記載の発明によれば、前記部分変倍枠内の画像データを拡大または縮小する際に、前記切り取り枠自体を拡大または縮小される画像データに対応させて拡大または縮小するステップを更に実行させるようにしたので、より自由度がある多彩な画像編集効果を施した画像を送信することができるという利点が得られる。
【００７７】
また、請求項３８記載の発明によれば、前記部分変倍枠による切り取り位置、切り取り範囲、切り取り形状のうち、少なくともいずれか１つを変更するステップを更に実行させるようにしたので、より自由度がある多彩な画像編集効果を施した画像を送信することができるという利点が得られる。
【００７８】
また、請求項３９記載の発明によれば、前記部分変倍枠内の画像とオリジナル画像を合成する際に、境界部分の画像変化を平滑化するステップを更に実行させるようにしたので、より自由度がある多彩な画像編集効果を施した画像を送信することができるという利点が得られる。
【発明を実施するための最良の形態】
【００７９】
以下、本発明の実施の形態を、カメラ付き携帯電話に適用した一実施例として、図面を参照して説明する。
【００８０】
Ａ．第１実施形態
Ａ−１．第１実施形態の構成
図１は、本発明の第１実施形態によるカメラ付き携帯電話の構成を示すブロック図である。図において、無線送受信部２０は、無線によりアンテナ１１を介して音声やデータ（メールデータ）を送受し変調／復調する。無線信号処理部２１は、無線送受信部２０で受信した音声やデータ（メールデータ）を復調し、あるいは無線送受信部２０へ送信するための音声やデータを変調するなどの無線通信に必要な処理をする。制御部２２は、各種動作および全体の動作を制御する。
【００８１】
画像メモリ２３は、撮像部（撮像レンズ１８、撮像モジュール１８１、ＤＳＰ１８２）で撮像され、画像処理プログラム領域２４１３（後述）に格納されたプログラムにより圧縮符号化された画像ファイルや、ＷＷＷ５を介してダウンロードした画像ファイルを格納するためのメモリである。ＲＯＭ２４は、書換可能なＦｌａｓｈ  ＲＯＭで構成され、本発明の特徴となる、後述の各種プログラムを格納する。
【００８２】
ドライバ２５は、表示部１３の表示領域に相当するバッファを備え、表示部１３を駆動させる。ドライバ２６は、サブ表示部１６を駆動させる。加入者情報記憶部２７は、本携帯電話１を呼び出すための電話番号や、操作者（加入者）のＩＤ等、プロフィールデータを格納する。ＲＯＭ２８は、制御部１８を制御する各種プログラムなどを格納する。ＲＡＭ２９は、無線通信端末として必要な各種データを記憶し、かつ制御部２５が動作する上で必要なデータを格納するとともに、メールデータも格納記憶する。特に、本第１の実施の形態では、ＲＡＭ２９には、撮影モードにおいて、撮影中の画像を一度バッファリングするための記憶領域がある。
【００８３】
音声信号処理部２００は、マイク１５から入力された音声信号を符号化処理したり、無線信号処理部２１から出力された信号に基づいて復号化してスピーカ１２を駆動させ、音声を出力する。撮像モジュール１８１は、１２４万画素の１／２．７インチプログレッシブＣＣＤを搭載し、カラー画像を取り込む。ＤＳＰ１８２は、撮像モジュール１８１にて取り込まれた画像を符号化処理し、本実施の形態においては、ＪＰＥＧ形式に圧縮符号化される。報知デバイス１９２は、報音スピーカ１９、バイブレータ１９１、ＬＥＤ１７１を駆動させるためのドライバである。
【００８４】
次に、図２（ａ），（ｂ）は、携帯電話１の外観図（開状態：正面図および背面図）である。本第１の実施の形態における携帯電話１は、蓋部と本体部からなる二つ折り構造である。アンテナ１１は、蓋部の背面に設けられており、伸縮自在となっている。スピーカ１２は、蓋部の前面側に設けられており、音声出力を行なう。表示部（メイン表示部）１３は、１２０ドット（幅）×１６０ドット（高さ）のカラー液晶デバイスで構成されている。該表示部１３には、写真付きメールの写真（写真）と本文とを同時に表示可能なＱＶＧＡクラスの解像度を備えている。
【００８５】
キー操作部１４は、本体部の前面に設けられており、各種機能キー（メールキー１４１、アドレスキー１４２、ファンクションキー１４３）、テンキー１４４、決定キー１４５、カーソルキー１４６などからなる。メールキー１４１は、メール機能を起動し、メールメニューを表示するためのものである。アドレスキー１４２は、送信先のメールアドレスを選択する際に用いるアドレス帳を開くためのものである。ファンクションキー１４３は、画像付きメールの作成時、あるいは画像付きメールの確認時、画像のプレビュー再生などを指示するためのものである。テンキー１４４は、電話番号や文字の入力の際に使用する。決定キー１４５は、撮像モード時において、所定秒（約２秒）の押圧維持検出で、画像を取り込む。カーソルキー１４６は、撮影した画像を所定のサイズに切り出す際に切り取り枠２００（または画像）を移動させるものである。
【００８６】
マイク１５は、本体部の下部に設けられており、音声入力を行なう。サブ表示部１６は、蓋部の背面に設けられている。背面キー１７は、透明、または半透明部材で構成され、着信の際、発光するＬＥＤ１７１を内蔵している。撮像レンズ１８は、蓋部２の背面、上記サブ表示部１６の下部に設けられている。報知スピーカ１９は、着信などを報知するものであり、蓋部を本体部に閉じた状態でも報知音が聞こえるように、本体部の裏面に配置されている。
【００８７】
次に、図３（ａ）は、携帯電話１のＲＯＭ２４のメモリエリアの構成を示す概念図である。該ＲＯＭ２４は、第１の実施の形態の特徴であるソフトウェアプログラムを格納する。ＲＯＭ２４は、メールソフトウェアプログラム領域２４１、画像処理プログラム領域２４１３およびその他のプログラム領域２４１４からなる。
【００８８】
メールソフトウェアプログラム領域２４１は、既知のメールソフトウェアプログラムを格納する。画像処理プログラム領域２４１３は、撮像部（撮像レンズ１８、撮像モジュール１８１、ＤＳＰ１８２）で撮像・デジタル符号化されてＲＡＭ２９にバッファリングされた画像データから、切り取り枠２００（または画像）を移動させて、所定のサイズに切り出すための画像処理プログラムを格納する。なお、画像処理プログラムは、インターネットなどを介してサーバからダウンロードするようにしてもよい。その他のプログラム領域２４１４は、上記以外のアプリケーションプログラムなどを格納する。
【００８９】
次に、図３（ｂ）は、携帯電話１のＲＡＭ２９のメモリエリアの構成を示す概念図である。ＲＡＭ２９は、アドレス帳データ格納領域２９１、メールデータ格納領域２９２、画像ファイル格納領域２９３、その他のワークメモリ２９４および撮像データバッファ領域２９５からなる。アドレス帳データ格納領域２９１は、氏名、電話番号、メールアドレス等を一組のレコードとして複数格納する。メールデータ格納領域２９２は、メールソフトウェアを使用して作成されたメールデータや、受信したメールデータを格納する。画像ファイル格納領域２９３は、メールにファイルが添付されている場合、このファイルを格納する。その他・ワークメモリ２９４は、その他のワークメモリとして各種データを格納する。撮像データバッファ領域２９５は、撮影中の画像を一度バッファリングするための記憶領域である。
【００９０】
Ａ−２．第１実施形態の動作
次に、上述した第１実施形態によるの動作について説明する。ここで、図４ないし図７は、第１実施形態による携帯電話の動作を説明するためのフローチャートである。また、図８ないし図１５は、第１実施形態による携帯電話の表示画面例を示す模式図である。
【００９１】
まず、撮影モジュール１８１、ＤＳＰ１８２を起動する（ステップＳ１０）。次に、画像処理プログラムをロードし（ステップＳ１２）、図８に示すように、表示部１３にスルー画像を表示する（ステップＳ１４）。次に、決定キー１４５が押圧されたか否かを判断する（ステップＳ１６）。そして、決定キー１４５が押下されない場合には、ステップＳ１４へ戻り、スルー画像の表示を継続する。
【００９２】
図８に示すように、スルー画像の表示画面には、カメラモードであることを示すカメラモードアイコン１３０１、受信状態表示アイコン１３０２、電池残量表示アイコン１３０３、現在時刻表示１３０４、ズームアイコン（カーソルキー１４６の上下方向の操作検出に対応して、撮像すべき画角の拡大／縮小制御）１３０５、ズーム率アイコン（図示の例では「標準」、つまり拡大も縮小もしていない）１３０６、露出補正アイコン（カーソルキー１４６の左右方向の操作検出に対応して撮像すべき画像の露出制御）１３０７、モード切替アイコン（メールキー１４１の操作を検出するごとにカメラモード←→ムービー（撮影）モードを切り替える）１３０８、シャッターアイコン（決定キー１４５の操作検出に対応して、取り込まれた画像をＲＡＭ２９に撮影データバッファ領域２９５に転送・一時記憶）１３０９、サブメニューアイコン（ファンクションキー１４３の操作検出に対応して撮影モードメニューの表示に切り替える）１３１０が表示される。
【００９３】
一方、決定キー１４５が押下されると、撮像されたデータを取り込み（Ｓ１８）、撮像データバッファ領域２９５に蓄積する（ステップＳ２０）。次に、撮像データバッファ領域２９５へ蓄積した撮像データを圧縮ファイル化する（ステップＳ２２）。このとき撮像された画像データは、６４０×４８０ドット（ＶＧＡ）、８００×６００ドット、１０２４×７６８ドット（ＳＶＧＡ，ＸＧＡ）などの解像度を有する。そして、図９に示すように、表示部１３に撮影した画像をプレビュー表示する（Ｓ２４）。
【００９４】
図９に示すように、上記プレビュー画面には、Ｅメールアイコン１３１１、保存アイコン１３１２、サブメニューアイコン１３１３が表示されている。Ｅメールアイコン１３１１は、メールキー１４１の操作に対応しており、該メールキー１４１の操作を検出すると、撮像データバッファに一時記憶された画像をＪＰＥＧ圧縮・ファイル化し、画像ファイル格納領域２９３に格納して、この画像ファイルを添付データとして扱う状態でメールモードに移行する（後述する図１５の表示例参照）。保存アイコン１３１２は、決定キー１４５の操作に対応しており、該決定キー１４５の操作を検出すると、撮像データバッファに一時記憶された画像をＪＰＥＧ圧縮・ファイル化し、画像ファイル格納領域２９３に格納し、格納終了後、モニタ表示に戻る。サブメニューアイコン１３１３は、ファンクションキー１４３の操作に対応しており、該ファンクションキー１４３の操作を検出すると、一時保存された画像の圧縮形式や保存先等の選択メニューの表示に切り替える。
【００９５】
次に、保存キーが押下されたか否かを判断し（Ｓ２６）、保存キーが押下された場合には、圧縮ファイル化された画像ファイルを、タイムスタンプに基づいてファイル名を付加して画像メモリ２３に格納し（ステップＳ２８）、その後、ステップＳ２４へ戻り、前述した処理を継続する。
【００９６】
一方、保存キーが押下されない場合には、メールキー１４１が押下されることにより、送信するメールに今回撮影された画像を添付するか否かを判断する（Ｓ３０）。そして、メールキー１４１が押下されなかった場合には、サブメニューキーが押下されたか否かを判断し（Ｓ４０）、押下されなかった場合には、ステップＳ２４へ戻り、前述した処理を繰り返す。また、サブメニューキーが押下された場合には、サブメニューの処理へ進む（Ｓ４２）。
【００９７】
一方、メールキー１４１が押下された場合には、図１０に示す種類選択画面を表示する（Ｓ３２）。ユーザは、種類選択画面から所望するサイズを選択する（Ｓ３４）。図１０に示すように、種類選択画面では、メールに添付する画像データのサイズを指示する。図示の例では、１２０×１２０ピクセル、１２０×１６０ピクセル、４８０×６４０ピクセル、９６０×１２８０ピクセル、自由サイズから選択することができるようになっている。また、種類選択画面には、ＯＫアイコン１３１４、「閉じる」アイコン１３１５が表示されている。ＯＫアイコン１３１４は、決定キー１４５の操作に対応しており、該決定キー１４５の操作を検出すると、メール添付する画像のサイズを決定する。「閉じる」アイコン１３１５は、ファンクションキー１４３の操作に対応しており、該ファンクションキー１４３の操作検出に対応してこのメニューを閉じる。
【００９８】
次に、ＯＫボタンが選択されたか否かを判断し（Ｓ３６）、ＯＫボタンが選択されると、図１１に示すように、そのとき選択されていたサイズに対応する切り取り枠２００をプレビュー画面に重ねて表示した切り出し画面を表示する（Ｓ３８）。該切り出し画面では、画像データから選択されたサイズの任意の部分を切り出す。このとき、画像をズームインしたり、ズームアウトしたり、切り取り枠２００の形状を変更したりすることが可能となっている。また、該切り出し画面には、切り出しズーム処理モードであることを示すアイコン１３１６、ズームアウトアイコン（メールキー１４１の操作を検出する毎に、撮像画像の再生ズームのズームアウト表示処理を段階的に行う）１３１７、確定アイコン（決定キー１４５の操作検出に対応して、ズーム固定を行う）１３１８、ズームインアイコン（ファンクションキー１４３の操作を検出する毎に、撮像画像の再生ズームのズームイン表示処理を段階的に行う）１３１９が表示される。
【００９９】
次に、切り出し画面において、確定ボタンが選択されたか否かを判断し（Ｓ４２）、確定ボタンが選択されなかった場合には、「＋」ボタンが選択されたか否かを判断する（Ｓ４４）。そして、図１１に示す切り出し画面において、「＋」ボタンが選択された場合には、図１２に示すように、画像データをズームインする（Ｓ４６）。図１２に示す例では、切り出しズームアイコン１３１６の四角部分の大きさを大きくし、四方の三角矢印の方向を外向きにすることで、現在の表示状態がズームイン傾向にあることを明示している。
【０１００】
また、切り出し画面において、「＋」ボタンが選択されなかった場合には、「−」ボタンが選択されたか否かを判断する（Ｓ４８）。そして、図１１に示す切り出し画面において、「−」ボタンが選択された場合には、図１３に示すように、画像データをズームアウトする（Ｓ５０）。図１３に示す例では、切り出しズームアイコン１３１６の四角部分の大きさを小さくし、四方の三角矢印の方向を内向きにすることで、現在の表示状態がズームアウト傾向にあることを明示している。
【０１０１】
また、切り出し画面において、「＋」ボタンが選択されなかった場合には、切り取り枠２００の変更が検出されたか否かを判断する（Ｓ５２）。切り取り枠２００の変更は、各種機能キーなどにより指示する。そして、切り取り枠２００の変更が検出された場合には、図１４（ａ），（ｂ）に示すように、切り取り枠２００を変更する。切り取り枠２００は、機能キーが操作されるたびに、予め用意されている、異なる形状の切り取り枠２００を巡回するように変更する。図１４（ａ）には、デフォルトの四角形の切り取り枠２００が選択されており、図１４（ｂ）には、ハート型の切り取り枠２００が選択されている。
【０１０２】
また、切り出し画面において、切り取り枠２００の変更が検出されなかった場合には、カーソルキー１４６の操作が検出されたか否かを判断する（Ｓ５６）。そして、カーソルキー１４６の操作が検出された場合には、切り出し画面における切り取り枠２００を操作に応じて移動させる（Ｓ５８）。
【０１０３】
このようにして、撮影された画像データから所望のサイズで、任意の部分を選択した後、確定ボタンが押下されると、画像データから切り取り枠２００で選択された領域を切り出す（Ｓ６０）。次に、切り取った画像を、メールに添付し（Ｓ６２）、図１５に示すメール作成画面を表示する（Ｓ６４）。メール作成画面には、メールの宛先、件名、添付（ファイル）、本文が表示される。また、該メール作成画面には、メールモードアイコン１３２０、宛先表示欄１３２１、件名表示欄１３２２、添付データ表示欄１３２３、本文表示欄１３２４、「送信」アイコン１３２５、「編集」アイコン１３２６、サブメニューアイコン１３２７が表示されている。「送信」アイコン１３２５は、メールキー１４１の操作に対応しており、該メールキー１４１の操作を検出すると、宛先（メールアドレス）宛に当該メールを送信するための通信処理を開始する。「編集」アイコン１３２６は、決定キー１４５の操作に対応しており、該決定キー１４５の操作を検出すると、メール編集モードに移行する。サブメニューアイコン１３２７は、ファンクションキー１４３の操作に対応しており、該ファンクションキー１４３の操作を検出すると、メール編集に使用する文字フォントや文字色の選択等のメニュー画面を表示する。
【０１０４】
ユーザは、メール作成画面から宛先や本文を入力する（Ｓ６６）。そして、送信ボタンの操作が検出されたか否かを判断し（Ｓ６８）、送信ボタンが操作されると、切り取った画像が添付されたメールを送信する（Ｓ７０）。
【０１０５】
上述した第１実施形態では、高解像度で撮影した画像データから、一部の領域のみを切り出して、メールに添付して送信するようにしたので、トラヒック負荷の増大化、転送時間の長時間化、課金の増大化を防止することができる。また、撮影直後に送信したい部分だけを切り取るようにしたので、ストレスなく、所望の画像データをメールに添付して送信することができる。また、切り取り枠２００の大きさや形状を変更可能としたので、より自由度のある切り取り、多彩な切り取りによる画像送信が可能となる。
【０１０６】
Ｂ．第２実施形態
次に、本発明の第２実施形態について説明する。本第２実施形態では、画像データに対して画像効果を付加するようになっている。なお、携帯電話１の構成は、前述した第１実施形態（図１）と同じであるので説明を省略する。
【０１０７】
Ｂ−１．第２実施形態の動作
次に、上述した第２実施形態による携帯電話の動作について説明する。ここで、図１６は、本第２実施形態による携帯電話の動作（一部）を説明するためのフローチャートである。また、図１７ないし図２０は、本第２実施形態による携帯電話の表示例を示す模式図である。
【０１０８】
なお、本第２実施形態において、画像の撮影、撮影した画像データのプレビュー表示、切り出し画面表示、ズームイン、ズームアウト、切り取り枠２００の変更、切り取り枠２００の移動の動作については、図４に示すステップＳ１０〜Ｓ２２、図５に示すステップＳ２４〜Ｓ３８、図６に示すステップＳ４２〜Ｓ５８の動作と同じであるので説明を省略する。
【０１０９】
本第２実施形態では、図１７に示す切り出し画面が表示された状態で、効果キーの操作が検出されたか否かを判断する（Ｓ９０）。そして、効果キーの操作が検出されると、図１８に示す画像効果選択画面を表示する（Ｓ９２）。該画像効果選択画面では、フレーム（の付加、選択）、スタンプ／文字（の付加、選択、位置指定）、モザイクスタンプ（の付加、位置指定）、モノトーン、セピア、ネガ反転、パズル、きらきらなどの画像効果が選択可能となっている。また、該画像効果選択画面には、画像編集モードアイコン１３２８、「全解除」アイコン１３２９が表示されている。「全解除」アイコン１３２９は、メールキー１４１の操作に対応しており、該メールキー１４１の操作を検出すると、選択された画像効果を全てキャンセルし、図１７の状態に戻る。ユーザは、カーソルキー１４６により所望する画像効果を選択する（Ｓ９４）。
【０１１０】
次に、ＯＫボタンの操作が検出されたか否かを判断し（Ｓ９６）、ＯＫボタンが操作されると、選択された画像効果を画像データに付加したり、画像効果を選択したりする（Ｓ９８）。画像効果の中には、例えば、フレームを付加するような画像効果では、複数のフレームの中から所望するフレームを選択することが可能となっている。図１９には、画像効果としてフレームを付加した場合の表示例が示されている。このように、切り出し枠の内側に対し、効果をつけたものを表示例として反映させることができる。また、該画面には、逆方向アイコン１３３０、順方向アイコン１３３１が表示されている。逆方向アイコン１３３０は、メールキー１４１の操作に対応しており、該メールキー１４１の操作を検出する毎に、前のフレームを反映させて表示する（フレームは複数用意されているものとする）。順方向アイコン１３３１は、ファンクションキー１４３の操作に対応しており、ファンクションキー１４３の操作を検出する毎に、次のフレームを反映させて表示する。
【０１１１】
そして、所望の画像効果を付加した状態で、ＯＫボタンの操作が検出されたか否かを判断し（Ｓ１００）、ＯＫボタンが操作されると、第１実施形態で説明した図７のステップＳ６０へ戻り、以下、同様の処理を行なう。図２０には、画像効果として、セピアが選択された場合の表示例（切り出し枠の中のみ、セピア調効果を反映させて表示）を示している。
【０１１２】
一方、図１８に示す画像効果選択画面において、「全解除」アイコン１３２９、すなわちメールキー１４１が操作された場合には（Ｓ１０２）、これまでに付加した画像効果を解除する（Ｓ１０４）。
【０１１３】
上述した第２実施形態では、高解像度で撮影した画像データから、一部の領域のみを切り出して、メールに添付して送信するようにしたので、トラヒック負荷の増大化、転送時間の長時間化、課金の増大化を防止することができる。また、画像データに様々な画像効果（フレームやスタンプ、モザイク等）を付加するようにしたので、より自由度のある切り取り、多彩な切り取りによる画像送信が可能となる。
【０１１４】
Ｃ．第３実施形態
次に、本発明の第３実施形態について説明する。本第３実施形態では、画像メモリ２３に保存されている画像データの中から選択した画像データ（撮影した画像データをもしくは他の手段により取得した画像データ）を対象とし、その画像データの一部を切り出し、メールに添付して送信するようになっている。なお、携帯電話１の構成は、前述した第１実施形態（図１）と同じであるので説明を省略する。
【０１１５】
Ｃ−１．第３実施形態の動作
次に、上述した第３実施形態による携帯電話の動作について説明する。ここで、図２１および図２２は、本第３実施形態による携帯電話の動作を説明するためのフローチャートである。また、図２３ないし図２６は、本第３実施形態による携帯電話の表示例を示す模式図である。
【０１１６】
まず、撮影モジュール１８１、ＤＳＰ１８２を起動する（ステップＳ１１０）。次に、画像処理プログラムをロードし（ステップＳ１１２）、前述した第１実施形態と同様に、図８に示すように、表示部１３にスルー画像を表示する（ステップＳ１１４）。次に、決定キー１４５が押圧されたか否かを判断する（ステップＳ１１６）。そして、決定キー１４５が押下されない場合には、ステップＳ１１４へ戻り、スルー画像の表示を継続する。
【０１１７】
一方、決定キー１４５が押下されると、撮像されたデータを取り込み（Ｓ１１８）、撮像データバッファ領域２９５に蓄積する（ステップＳ１２０）。次に、撮像データバッファ領域２９５へ蓄積した撮像データを圧縮ファイル化する（ステップＳ１２２）。このとき撮像された画像データは、６４０×４８０ドット（ＶＧＡ）、８００×６００ドット、１０２４×７６８ドット（ＳＶＧＡ，ＸＧＡ）などの解像度を有する。そして、圧縮した画像データを画像メモリ２３に格納する（Ｓ１２４）。
【０１１８】
次に、画像データ一覧モード（またはメール送信モード）が選択されると、まず、画像データを検索する（ステップＳ１３２）。そして、画像データがあったか否かを判断し（ステップＳ１３２）、画像データがなければ、エラーを表示する（ステップＳ１３４）。
【０１１９】
一方、画像データがあった場合には、図２３に示すように、画像データを一覧表示する（Ｓ１３６）。なお、サムネイルによるアルバム表示であってもよい。該データ一覧画面には、データフォルダ閲覧モードアイコン１３３２、メールモードアイコン１３３３、選択アイコン１３３４、メニューアイコン１３３５が表示されている。
【０１２０】
データフォルダ閲覧モードアイコン１３３２は、画像ファイル格納領域２９３に格納される各種画像ファイルを閲覧するモードを示すアイコンであり、該モードでは、撮像により得られたもの、ネットワークからのダウンロードにより得られたもの全てが閲覧可能である。メールモードアイコン１３３３は、メールキー１４１の操作に対応しており、該メールキー１４１の操作を検出すると、メールモードに移行する。
【０１２１】
選択アイコン１３３４は、決定キー１４５の操作に対応しており、カーソルキー１４６の上下操作検出で選択すべき画像ファイルのファイル名を選択し（選択中の項目には下線が引かれている）、決定キー１４５の操作を検出すると、選択された画像ファイルを展開して表示部１３に表示させる。メニューアイコン１３３５は、ファンクションキー１４３の操作に対応しており、該ファンクションキー１４３の操作を検出すると、データフォルダ閲覧モードの表示形式（例えば、マルチ画面表示など）を選択するためのメニューを表示する。
【０１２２】
次に、一覧表示からいずれかの画像データが選択されたか否かを判断する（ステップＳ１３８）。そして、選択されない場合には、一覧表示を継続する。
【０１２３】
一方、いずれかの画像データが選択されると、図２４に示すように、選択された画像データをプレビュー表示する（Ｓ１４０）。該プレビュー表示画面には、メールモードアイコン１３３３、「一覧」アイコン１３３６が表示されている。メールモードアイコン１３３３は、メールキー１４１の操作に対応しており、該メールキー１４１の操作を検出すると、当該画像ファイルを送信するためにメールモードに移行する。メールモードアイコン１３３３は、メールキー１４１の操作に対応しており、該メールキー１４１の操作を検出すると、当該画像ファイルを送信するためにメールモードに移行する。「一覧」アイコン１３３６は、ファンクションキー１４３の操作に対応しており、ファンクションキー１４３の操作を検出すると、図２３の表示に戻る。
【０１２４】
次に、プレビュー表示において、Ｅメールボタンの操作が検出されたか否かを判断する（Ｓ１４２）。そして、Ｅメールボタンの操作が検出されない場合には、一覧ボタンが操作されたか否かを判断する（Ｓ１４４）。いずれの操作も検出されない場合には、ステップＳ１４０に戻り、プレビュー表示を継続する。
【０１２５】
一方、一覧ボタンが操作された場合には、ステップＳ１３６へ戻り、図２３に示す画像データの一覧表示へ戻る。これは、他の画像データを選択する場合である。
【０１２６】
また、プレビュー表示画面において、Ｅメールボタンの操作が検出された場合には、図２５に示す種類選択画面を表示する（Ｓ１４６）。種類選択画面では、メールに添付する画像データのサイズを指示する。ユーザは、種類選択画面から所望するサイズを選択する（Ｓ１４８）。
【０１２７】
次に、ＯＫボタンが選択されたか否かを判断し（Ｓ１５０）、ＯＫボタンが選択されると、図２６に示すように、そのとき選択されていたサイズに対応する切り取り枠２００をプレビュー画面に重ねて表示した切り出し画面を表示する（Ｓ１５２）。以下、前述した第１実施形態と同様に、図６に示すステップＳ４２以降へ進み、画像データから選択されたサイズの任意の部分を切り出し、該切り出した画像データをメールに添付して送信する。切り出し処理においては、画像をズームインしたり、ズームアウトしたり、切り取り枠２００の形状を変更したり、前述した第２実施形態で説明したように、画像効果を付加する。
【０１２８】
上述した第３実施形態では、高解像度で撮影した画像データやダウンロードした画像データなど、保存している画像データの中から任意の画像データを選択し、選択した画像データの一部を切り出して、メールに添付して送信するようにしたので、トラヒック負荷の増大化、転送時間の長時間化、課金の増大化を防止することができ、より多彩なデータがストレスなく、画像送信が可能となる。
【０１２９】
Ｄ．第４実施形態
次に、本発明の第４実施形態について説明する。上述した第１ないし第３実施形態では、切り出し枠２００を表示し、その範囲内に収まるように撮像画像をズームイン／ズームアウトできるようにした。これに対して、第４実施形態では、任意に設定した切り出し枠（部分ズーム枠）を表示させ、その枠内でズームイン／ズームアウトさせた状態の画像を、部分ズーム枠外の画像と合成した状態で表示させ、所望のズーム状態で決定されると、部分ズーム枠外の画像と合成された画像を生成するようになっている。なお、携帯電話１の構成は、前述した第１実施形態（図１）と同じであるので説明を省略する。
【０１３０】
Ｄ−１．第４実施形態の動作
次に、上述した第４実施形態による携帯電話の動作について説明する。ここで、図２７は、本第４実施形態による携帯電話の動作を説明するためのフローチャートである。また、図２８ないし図３４は、本第４実施形態による携帯電話の表示例を示す模式図である。なお、以下では、本第４実施形態に特有の部分のみを説明し、第１実施形態と共通する部分（ステップＳ１〜Ｓ２４）については説明を省略する。
【０１３１】
図５に示すステップＳ２４の図９に示すプレビュー画面において、Ｅメールアイコン１３１１が押下され、「Ｅメールへの添付」の指示を検出すると（ステップＳ３０で「ＹＥＳ」）、図２８に示す種類選択画面を表示する。該図２８に示す種類選択画面は、第１実施形態で説明した図１０に示す種類選択画面に対して、サイズ選択リストの６番目に「部分ズーム合成」が追加された点で異なる。図２８に示す種類選択画面において、部分ズーム合成が選択されたか否かを判断する（Ｓ３３）。そして、部分ズーム合成が選択されない場合には、図５に示すステップＳ３４へ進む。
【０１３２】
一方、部分ズーム合成が選択されたことを検出すると、すなわち、カーソルキー１４６の上下方向操作を検出し、「６．部分ズーム合成」に下線が引かれた状態で、決定キー１４５の操作を検出すると、ステップＳ１６０以降の部分ズーム合成モードへ移行する（ステップＳ３３の「ＹＥＳ」）。部分ズーム合成モードでは、まず、部分ズーム枠３００を表示する（Ｓ１６０）。ここで、図２９に示す画面について説明する。該画面には、部分ズーム位置モードアイコン１３３７、「戻る」アイコン（ファンクションキー１４３の操作を検出すると、図２８の表示に戻る）１３３８が表示されている。
【０１３３】
次に、十字キーの操作を検出し、部分ズーム枠３００を十字キーの操作方向に応じて移動する（Ｓ１６２）。次に、決定キー１４５の操作が検出されたか否かを判断する（Ｓ１６４）。そして、決定キー１４５の操作が検出されない場合には、「戻る」アイコン１３８８の操作が検出されたか否かを判断する（Ｓ１６６）。決定キー１４５も「戻る」アイコン１３８８も操作されない場合いは、ステップＳ１６２へ戻り、以下、十字キーの操作方向に応じて部分ズーム枠３００を移動する動作を継続する。一方、「戻る」アイコン１３８８の操作が検出された場合には、ステップＳ１６０へ戻り、部分ズーム枠３００が初期位置にある状態、すなわち図２９に示す画面へ戻り、以下、上述した処理を繰り返す。なお、サブメニューアイコン１３３９に対応するファンクションキー１４３の操作を検出した場合には、部分ズーム枠３００の大きさ／形状を選択するためのメニューを表示する。
【０１３４】
また、決定キー１４５の操作が検出された場合には、図３０に示す拡大／縮小設定画面を表示する（Ｓ１６８）。該拡大／縮小設定画面には、部分ズーム拡大／縮小設定モードアイコン１３４０、ズームアウトアイコン（メールキー１４１の操作を検出する毎に、部分ズーム枠３００を拡大して３００内の画像のズームアウト表示処理を段階的に行う）１３１７、確定アイコン（決定キー１４５の操作検出に対応して、合成すべき画像として決定する）１３１８、ズームインアイコン（ファンクションキー１４３の操作を検出する毎に、部分ズーム枠３００を縮小して３００内の画像のズームイン表示処理を段階的に行う）１３１９が表示されている。また、図３０には、野球選手の顔部分に部分ズーム枠３００が設定された状態が示されている。
【０１３５】
次に、上記拡大／縮小設定画面において、十字キーの左右操作を検出し、十字キーの操作方向に応じて、拡大／縮小仮表示する（Ｓ１７０）。すなわち、ファンクションキー１４３の操作を検出した場合には、図３１に示すように、部分ズーム枠３００を拡大した状態３０１で表示する（部分ズーム枠３００内の画像も拡大される）。一方、メールキー１４１の操作を検出した場合には、図３２に示すように、部分ズーム枠３００を縮小した状態３０２で表示する（部分ズーム枠３００内の画像も縮小される）。
【０１３６】
なお、図３２では、部分ズーム枠３００と３０２とが合成された状態で表示されているが、実際には、合成終了までオリジナル画像を加工していない。これは、キャンセル検出時に短時間で復帰できるようにするためである。つまり、部分枠３００内の画像をコピーし、ワークエリアにバッファリングさせた状態のもので拡大／縮小を行っているので、結果的に縮小させた場合には、オリジナルの部分ズーム枠３００が残された状態で表示されることになる。
【０１３７】
次に、決定キー１４５の操作が検出されたか否かを判断する（Ｓ１７２）。そして、決定キー１４５の操作が検出されない場合には、「戻る」アイコン１３８８の操作が検出されたか否かを判断する（Ｓ１７４）。決定キー１４５も「戻る」アイコン１３８８も操作されない場合いは、ステップＳ１７０へ戻り、上述した処理を繰り返す。
【０１３８】
一方、「戻る」アイコン１３８８の操作が検出された場合には、ステップＳ１６０へ戻り、部分ズーム枠３００が初期位置にある状態、すなわち図２９に示す画面へ戻り、以下、上述した処理を繰り返す。
【０１３９】
また、決定キー１４５の操作が検出された場合には、部分ズーム枠３００（３０１，３０２）の周辺画素の最適化処理を行う（Ｓ１７６）。より具体的には、部分ズーム枠３００の位置、形状、範囲（大きさ）が決められた後、決定キー１４５が操作された場合には、部分ズーム枠３００（３０１，３０２）を消去する。この場合、部分ズーム枠の境界部分の画素と、オリジナル画像の画素とで不具合（不連続）が生じるので、部分ズーム枠の境界部分の周辺数ドットを、その外側の画素の色に合うように調整する。該最適化処理には、例えば、周知のモーフィング技術を用いることができる。
【０１４０】
この結果、図３１に示すように、部分ズーム枠３００を拡大した状態３０１で決定した場合には、図３３に示す合成画像が表示される。また、図３２に示すように、部分ズーム枠３００を縮小した状態３０２で決定した場合には、図３４に示す合成画像が表示される。
【０１４１】
上述した第４実施形態では、任意に設定した切り出し枠（部分ズーム枠）内でズームイン／ズームアウトさせた状態の画像を、部分ズーム枠外の画像と合成した画像を生成するようにしたので、より自由度がある多彩な画像編集効果を施した画像送信が可能となる。例えば、画像の一部を強調したい場合などに非常に有効である。
【０１４２】
なお、上述した第１ないし第４実施形態では、画像として静止画像についてのみ説明したが、動画に対しても同様に一部を切り出してメールに添付して送信するようにしてもよい。また、第４実施形態では、部分ズーム枠を十字キーの操作により移動させ、部分ズームする位置を指定するようにしたが、これに限らず、人物の顔部分を画像認識技術により自動的に認識し、顔部分を部分ズーム領域としてもよい。また、第４実施形態では、部分ズーム枠内を拡大／縮小するようにしたが、逆に、部分ズーム枠外を拡大／縮小して、部分ズーム枠内の画像と合成するようにしてもよい。
【図面の簡単な説明】
【０１４３】
【図１】本発明の第１実施形態によるカメラ付き携帯電話の構成を示すブロック図である。
【図２】携帯電話１の外観図（開状態：正面図および背面図）である。
【図３】携帯電話１のＲＯＭ２４のメモリエリアおよびＲＡＭ２９のメモリエリアの構成を示す概念図である。
【図４】第１実施形態による携帯電話の動作を説明するためのフローチャートである。
【図５】第１実施形態による携帯電話の動作を説明するためのフローチャートである。
【図６】第１実施形態による携帯電話の動作を説明するためのフローチャートである。
【図７】第１実施形態による携帯電話の動作を説明するためのフローチャートである。
【図８】第１実施形態による携帯電話の表示画面例を示す模式図である。
【図９】第１実施形態による携帯電話の表示画面例を示す模式図である。
【図１０】第１実施形態による携帯電話の表示画面例を示す模式図である。
【図１１】第１実施形態による携帯電話の表示画面例を示す模式図である。
【図１２】第１実施形態による携帯電話の表示画面例を示す模式図である。
【図１３】第１実施形態による携帯電話の表示画面例を示す模式図である。
【図１４】第１実施形態による携帯電話の表示画面例を示す模式図である。
【図１５】第１実施形態による携帯電話の表示画面例を示す模式図である。
【図１６】本発明の第２実施形態による携帯電話の動作（一部）を説明するためのフローチャートである。
【図１７】本第２実施形態による携帯電話の表示例を示す模式図である。
【図１８】本第２実施形態による携帯電話の表示例を示す模式図である。
【図１９】本第２実施形態による携帯電話の表示例を示す模式図である。
【図２０】本第２実施形態による携帯電話の表示例を示す模式図である。
【図２１】本発明の第３実施形態による携帯電話の動作を説明するためのフローチャートである。
【図２２】本第３実施形態による携帯電話の動作を説明するためのフローチャートである。
【図２３】本第３実施形態による携帯電話の表示例を示す模式図である。
【図２４】本第３実施形態による携帯電話の表示例を示す模式図である。
【図２５】本第３実施形態による携帯電話の表示例を示す模式図である。
【図２６】本第３実施形態による携帯電話の表示例を示す模式図である。
【図２７】本第４実施形態による携帯電話の動作を説明するためのフローチャートである。
【図２８】本第４実施形態による携帯電話の表示例を示す模式図である。
【図２９】本第４実施形態による携帯電話の表示例を示す模式図である。
【図３０】本第４実施形態による携帯電話の表示例を示す模式図である。
【図３１】本第４実施形態による携帯電話の表示例を示す模式図である。
【図３２】本第４実施形態による携帯電話の表示例を示す模式図である。
【図３３】本第４実施形態による携帯電話の表示例を示す模式図である。
【図３４】本第４実施形態による携帯電話の表示例を示す模式図である。
【符号の説明】
【０１４４】
１  携帯電話
１１  アンテナ
１２  スピーカ
１３  表示部（表示手段）
１４  キー入力部（移動指示手段、表示倍率指示手段、画像効果付加指示手段）
１５  マイク
１６  サブ表示部
１７  背面キー
１８  撮像レンズ（撮影手段）
１９  報知スピーカ
２０  無線送受信部（送信手段）
２１  無線信号処理部
２２  制御部（制御手段、表示制御手段、メール作成手段、切り取り枠サイズ変更手段、切り取り枠移動手段、画像データ移動手段、表示倍率変更手段、画像効果付加手段）
２３  画像メモリ
２４  Ｆｌａｓｈ  ＲＯＭ
２５，２６  ドライバ
２７  加入者情報記憶部
２８  システムＲＯＭ
２９  ＲＡＭ（記憶手段）
１４０  ファンクションキー
１４１  メールキー
１４２  アドレスキー
１４３  ファンクションキー
１４４  テンキー
１４５  決定キー
１４６  カーソルキー
１７１  ＬＥＤ
１８１  撮像モジュール（撮影手段）
１８２  ＤＳＰ
１９２  ドライバ
２００  音声信号処理部
【図１】
2005012764.tif 000003
【図２】
2005012764.tif 000004
【図３】
2005012764.tif 000005
【図４】
2005012764.tif 000006
【図５】
2005012764.tif 000007
【図６】
2005012764.tif 000008
【図７】
2005012764.tif 000009
【図８】
2005012764.tif 000010
【図９】
2005012764.tif 000011
【図１０】
2005012764.tif 000012
【図１１】
2005012764.tif 000013
【図１２】
2005012764.tif 000014
【図１３】
2005012764.tif 000015
【図１４】
2005012764.tif 000016
【図１５】
2005012764.tif 000017
【図１６】
2005012764.tif 000018
【図１７】
2005012764.tif 000019
【図１８】
2005012764.tif 000020
【図１９】
2005012764.tif 000021
【図２０】
2005012764.tif 000022
【図２１】
2005012764.tif 000023
【図２２】
2005012764.tif 000024
【図２３】
2005012764.tif 000025
【図２４】
2005012764.tif 000026
【図２５】
2005012764.tif 000027
【図２６】
2005012764.tif 000028
【図２７】
2005012764.tif 000029
【図２８】
2005012764.tif 000030
【図２９】
2005012764.tif 000031
【図３０】
2005012764.tif 000032
【図３１】
2005012764.tif 000033
【図３２】
2005012764.tif 000034
【図３３】
2005012764.tif 000035
【図３４】
2005012764.tif 000036